(57)【要約】【課題】本発明は、簡単な構成により、薄型であっても、長手方向に関して均一な光度が得られるようにした、長尺の照明装置を提供することを目的とする。【解決手段】長手方向に沿って一列に並んで長尺の基板１２上に実装された複数個のＬＥＤ１３と、これらのＬＥＤを挟んで互いに対向するように、基板の長手方向両側縁から立ち上がるように配置された多面プリズム１５ａ，１６ａを有する一対のプリズム板１５，１６と、を備えており、上記一対のプリズム板のうち、一方のプリズム板１５の外側に、反射面１７が配置されるように、照明装置１０を構成する。【選択図】        図１
2004205639.tif 000002
【特許請求の範囲】
【請求項１】
長手方向に沿って一列に並んで長尺の基板上に実装された複数個のＬＥＤと、これらのＬＥＤを挟んで互いに対向するように、基板の長手方向両側縁から立ち上がるように配置された多面プリズムを有する一対のプリズム板と、を備えており、
上記一対のプリズム板のうち、一方のプリズム板の外側に、反射面が配置されていることを特徴とする、照明装置。
【請求項２】
上記各プリズム板が、その外側の表面に多面プリズムを備えていることを特徴とする、請求項１に記載の照明装置。
【請求項３】
上記各プリズム板が、その内側の表面に多面プリズムを備えていることを特徴とする、請求項１に記載の照明装置。
【請求項４】
上記反射面が、一方のプリズム板の外側面に形成されていることを特徴とする、請求項１から３の何れかに記載の照明装置。
【請求項５】
上記反射面が、一方のプリズム板の外側面に対向して配置された反射板により構成されていることを特徴とする、請求項１から３の何れかに記載の照明装置。
【請求項６】
上記各プリズム板の多面プリズムが異なる軸方向を有していることを特徴とする、請求項１から５の何れかに記載の照明装置。
【請求項７】
上記各プリズム板が互いに平行に配置されていることを特徴とする、請求項１から６の何れかに記載の照明装置。
【請求項８】
上記各プリズム板が、基板とは反対側の端縁にて互いに接近するように配置されていることを特徴とする、請求項１から６の何れかに記載の照明装置。
【請求項９】
上記各プリズム板が、基板とは反対側の端縁にて互いに接するように配置されていることを特徴とする、請求項８に記載の照明装置。
【請求項１０】
上記各プリズム板の基板とは反対側の端縁付近にて、上記基板と対向するように配置された長尺の第二の反射面を備えていることを特徴とする、請求項１から８の何れかに記載の照明装置。
【請求項１１】
上記各プリズム板の基板とは反対側の端縁付近にて、上記基板と対向するように配置された長尺の第二の基板を備えており、
この第二の基板上に、長手方向に一列に並んで複数個のＬＥＤが実装されていることを特徴とする、請求項１から８の何れかに記載の照明装置。
【発明の詳細な説明】
【０００１】
【発明の属する技術分野】
本発明は、例えば自動車の後部に設けられた所謂ハイマウントストップランプ等として使用される車両用灯具あるいは例えば遊技台用照明灯等の各種照明灯に使用される長尺の照明装置に関するものである。
【０００２】
【従来の技術】
従来、このような照明装置は、例えば図１３及び図１４に示すように、構成されている。
即ち、図１３及び図１４において、照明装置１は、垂直に配置され且つ長手方向、図示の場合横方向に延びる長尺のベース２と、ベース２の表面に沿って配置された同様に長尺の基板３と、基板３の表面を包囲するように配置された長尺のアウターレンズ４と、から構成されており、基板３の表面に光源としてのＬＥＤ５が長手方向に一列に並んで実装されている。
このような構成の照明装置１によれば、各ＬＥＤ５が駆動されたとき、各ＬＥＤ５から出射される光は、アウターレンズ４の内側に画成される空間４ａを通って、アウターレンズ４に入射し、さらにアウターレンズ４を透過して外部に出射する。これにより、アウターレンズ４の表面全体が発光面として観察されることになる。
【０００３】
【発明が解決しようとする課題】
ところで、アウターレンズ４の表面からベース２の裏面までの照明装置１の奥行きＤが小さく、比較的薄型の構成の場合、ＬＥＤ５から出射した光が十分に拡散しない状態で、アウターレンズ４に入射することになる。
従って、外部から観察した場合、アウターレンズ４の表面の発光面では、各ＬＥＤ５の近傍がより明るくなってしまうために、長手方向に関して不均一な光度になって、所謂ボツボツ感が生じて、見栄えが悪くなってしまうという問題があった。
【０００４】
これに対して、長手方向に関する光度を均一にするためには、図１５に示すように、基板２上に配置されるＬＥＤ５の長手方向に関する密度を高くすることにより、各ＬＥＤ５の間隔を狭くする方法が考えられる。
【０００５】
しかしながら、このような構成の照明装置においては、比較的多数のＬＥＤ５が並んで配置されていることにより、ＬＥＤ５の部品コストが増大してしまうと共に、ＬＥＤ５の消費電力が増大することになり、照明装置１の商品性が低下してしまう。
【０００６】
本発明は、以上の点から、簡単な構成により、薄型であっても、長手方向に関して均一な光度が得られるようにした、長尺の照明装置を提供することを目的としている。
【０００７】
【課題を解決するための手段】
上記目的は、本発明の構成によれば、長手方向に沿って一列に並んで長尺の基板上に実装された複数個のＬＥＤと、これらのＬＥＤを挟んで互いに対向するように、基板の長手方向両側縁から立ち上がるように配置された多面プリズムを有する一対のプリズム板と、を備えており、上記一対のプリズム板のうち、一方のプリズム板の外側に、反射面が配置されていることを特徴とする、照明装置により、達成される。
【０００８】
本発明による照明装置は、好ましくは、上記各プリズム板が、その外側の表面に多面プリズムを備えている。
【０００９】
本発明による照明装置は、好ましくは、上記各プリズム板が、その内側の表面に多面プリズムを備えている。
【００１０】
本発明による照明装置は、好ましくは、上記反射面が、一方のプリズム板の外側面に形成されている。
【００１１】
本発明による照明装置は、好ましくは、上記反射面が、一方のプリズム板の外側面に対向して配置された反射板により構成されている。
【００１２】
本発明による照明装置は、好ましくは、上記各プリズム板の多面プリズムが異なる軸方向を有している。
【００１３】
本発明による照明装置は、好ましくは、上記各プリズム板が互いに平行に配置されている。
【００１４】
本発明による照明装置は、好ましくは、上記各プリズム板が、基板とは反対側の端縁にて互いに接近するように配置されている。
【００１５】
本発明による照明装置は、好ましくは、上記各プリズム板が、基板とは反対側の端縁にて互いに接するように配置されている。
【００１６】
本発明による照明装置は、好ましくは、上記各プリズム板の基板とは反対側の端縁付近にて、上記基板と対向するように配置された長尺の第二の反射面を備えている。
【００１７】
本発明による照明装置は、好ましくは、上記各プリズム板の基板とは反対側の端縁付近にて、上記基板と対向するように配置された長尺の第二の基板を備えており、この第二の基板上に、長手方向に一列に並んで複数個のＬＥＤが実装されている。
【００１８】
上記構成によれば、各ＬＥＤを駆動したとき、各ＬＥＤから出射する光は、その一部が一側のプリズム板に向かって進み、一部がプリズム板の表面で反射され、他の一部がプリズム板を透過して反射面で反射された後、再びプリズム板を透過し、反対側のプリズム板に入射する。その際、このプリズム板の多面プリズムにより拡散される。また、ＬＥＤからの光の他の一部は、直接に反対側のプリズム板に入射する。そして、反対側のプリズム板に入射した光は、このプリズム板の多面プリズムにより拡散されて、外側に出射する。
従って、ＬＥＤから出射した光は、各プリズム板に備えられた多面プリズムによってそれぞれ拡散されることになるので、ＬＥＤから各プリズム板までの距離が短くても、十分に拡散されることになり、長手方向に関して均一な光度が得られる。
【００１９】
上記各プリズム板が、その外側の表面に多面プリズムを備えている場合には、ＬＥＤからの光が各プリズム板を透過する際に、その外側の表面に備えられた多面プリズムによって拡散されることになる。
【００２０】
上記各プリズム板が、その内側の表面に多面プリズムを備えている場合には、ＬＥＤからの光が各プリズム板を透過する際に、その外側の表面に備えられた多面プリズムによって拡散されると共に、外部から観察したとき、平坦な表面の内側に多面プリズムが存在することにより、見栄えが向上することになる。
【００２１】
上記反射面が、一方のプリズム板の外側面に形成されている場合には、一方のプリズム面の外側面に、例えばアルミニウム等の金属薄膜を蒸着させたり、反射材料を塗布することにより、容易に反射面を形成することができる。
【００２２】
上記反射面が、一方のプリズム板の外側面に対向して配置された反射板により構成されている場合には、別体の反射板を配置することにより、容易に反射面を形成することができる。
【００２３】
上記各プリズム板の多面プリズムが異なる軸方向を有している場合には、各プリズム板の多面プリズムによる光の拡散方向が異なることになり、より均一に光が拡散され、長手方向に関して均一な光度が得られることになる。
【００２４】
上記各プリズム板が互いに平行に配置されている場合には、全体の奥行きが一定であっても、各プリズム板の間隔を全体として最大に保持することができるので、ＬＥＤからの光が十分に拡散されて外部に出射することにより、より均一な光度が得られる。
【００２５】
上記各プリズム板が、基板とは反対側の端縁にて互いに接近するように配置されている場合には、各プリズム板のＬＥＤから遠い端縁に向かって徐々にその間隔が狭くなることにより、各ＬＥＤから光が外部に出射するまでの距離が平均化されることになり、全体としてより均一な光度が得られることになる。
【００２６】
上記各プリズム板が、基板とは反対側の端縁にて互いに接するように配置されている場合には、各プリズム板のＬＥＤから遠い端縁に向かって徐々にその間隔が狭くなることにより、各ＬＥＤから光が外部に出射するまでの距離が平均化されることになり、全体としてより均一な光度が得られることになると共に、各プリズム板の基板とは反対側の端縁の間からの光の漏出を、反射板や遮光部材を配置することなく、簡単な構成により防止することができる。
【００２７】
上記各プリズム板の基板とは反対側の端縁付近にて、上記基板と対向するように配置された長尺の第二の反射面を備えている場合には、各プリズム板の基板とは反対側の端縁の間に進入する光を第二の反射面にて反射させることにより、光の利用効率を高めることができる。
【００２８】
上記各プリズム板の基板とは反対側の端縁付近にて、上記基板と対向するように配置された長尺の第二の基板を備えており、この第二の基板上に、長手方向に一列に並んで複数個のＬＥＤが実装されている場合に、各プリズム板の基板とは反対側の端縁の間から第二の基板上に実装されたＬＥＤにより光を照射することができるので、より一層光度を高めることができる。
【００２９】
このようにして、本発明によれば、長手方向に並んで配置されたＬＥＤからの光が、プリズム板に備えられた多面プリズムによって十分に拡散されるので、各プリズム板の間の距離が短い薄型の照明装置の場合であっても、長手方向に関してより均一な光度が得られると共に、見栄えが向上することになる。
【００３０】
【発明の実施の形態】
以下、この発明の好適な実施形態を図１乃至図１２を参照しながら、詳細に説明する。
尚、以下に述べる実施形態は、本発明の好適な具体例であるから、技術的に好ましい種々の限定が付されているが、本発明の範囲は、以下の説明において特に本発明を限定する旨の記載がない限り、これらの態様に限られるものではない。
【００３１】
図１及び図２は、本発明による照明装置の第一の実施形態の構成を示している。
図１及び図２において、照明装置１０は、垂直に且つ長手方向、図示の場合横方向に延びるように配置された長尺のベース１１と、ベース１１の前側にて、その下縁に沿って水平に配置され且つ横方向に延びる基板１２と、基板１２の上面にて長手方向に沿って等間隔に実装された複数個のＬＥＤ１３と、上記ベース１１の前側を包囲するようにベースの前側に配置された長尺のアウターレンズ１４と、アウターレンズ１４により画成される内部空間にて、ベース１１の前面及びアウターレンズ１４の前壁１４ａ及び上壁１４ｂの内面に沿って配置されたプリズム板１５，１６と、ベース１１とプリズム板１５の間に配置された反射板１７と、から構成されている。
【００３２】
上記ベース１１は、板状に構成されており、照明装置１０の使用の際に、自動車や遊技台等の各種機器等に対して取り付けられ、固定保持されるようになっている。
上記基板１２は、公知のプリント配線基板等の基板であって、ベース１１の前側の下縁から前方に向かってほぼ水平に延びるように配置されており、その上面がＬＥＤ１３の実装面として構成されている。
上記ＬＥＤ１３は、基板１２上にて長手方向に関して等間隔に実装されており、図示しない駆動回路により駆動されることにより、光を出射するようになっている。
【００３３】
上記上記アウターレンズ１４は、透明部材から構成されており、内部空間を密閉することにより、ＬＥＤ１３を保護している。
上記プリズム板１５，１６は、板状の透明部材から構成されていると共に、その内面に、多面プリズム１５ａ，１６ａが形成されている。
【００３４】
この多面プリズム１５ａ，１６ａは、それぞれ図２にて符号Ａで示すように、垂直な軸方向に延び、横方向に関して互いに平行な複数本の突条部１８として構成されている。
各突条部１８は、図３に示すように、横方向の断面が、実質的に凸状に形成されており、詳細には短い直線をつないだ形状になっている。
【００３５】
上記反射板１７は、ベース１１とプリズム板１５との間に配置されており、ＬＥＤ１３から出射してプリズム板１５を透過した光を反射させて、再びプリズム板１５を介して内側に導くようになっている。
【００３６】
本発明実施形態による照明装置１０は、以上のように構成されており、各ＬＥＤ１３が図示しない駆動回路により駆動されて発光することにより、各ＬＥＤ１３から出射した光は、後方に向かって出射する光の一部がプリズム板１５に入射して、一部がその表面で反射されると共に、他の一部がプリズム板１５を透過して、反射板１７で反射され、再びプリズム板１５を介して内側に戻って、前方に進み、その一部がプリズム板１６に入射することになる。
また、ＬＥＤ１３から出射した光のうち、前方に向かって出射する光の一部がプリズム板１６に入射する。
このようにして、プリズム板１６に入射した光は、プリズム板１６を透過し、さらにアウターレンズ１４の前壁１４ａを透過して、前方に向かって照射されることになる。
【００３７】
この場合、プリズム板１５に入射した光は、その表面で反射される際、また透過する際に、プリズム板１５の内面に形成された多面プリズム１５ａによって横方向に拡散されることになる。
さらに、プリズム板１６に入射した光は、透過する際に、その内面に形成された多面プリズム１６ａによって横方向に拡散されることになる。
これにより、各プリズム板１５，１６の多面プリズム１５ａ，１６ａによって、各ＬＥＤ１３の像は、図４に示すように、長手方向に関して多数に分岐されることになる。
従って、プリズム板１６を介して前方に向かって照射される光は、プリズム板１５，１６の多面プリズム１５ａ，１６ａによって横方向に十分に拡散されて前方に向かって照射されるので、横方向に関して均一な光度が得られることになる。
【００３８】
これにより、ＬＥＤ１３からアウターレンズ１４の前壁１４ａまでの距離が比較的短くても、また各ＬＥＤ１３間が比較的離れていたとしても、多面プリズム１５ａ，１６ａによって横方向即ち長手方向に十分に拡散されて、前方に向かって照射されるので、アウターレンズ１４そして照明装置１０が薄型に構成されていても、長手方向に関して均一な光度が得られ、見栄えが損なわれるようなことはない。
その際、各ＬＥＤ１３間の間隔が比較的長くてもよいことから、ＬＥＤ１３の個数が低減され、部品コストが低減され得ると共に、消費電力が低減され、ランニングコストが削減され得ることになる。
【００３９】
ここで、上記照明装置１０においては、双方のプリズム板１５，１６の多面プリズム１５ａ，１６ａは、共に垂直な軸方向に延びる突条部から構成されているが、これに限らず、図５に示すように、一方のプリズム板（例えばプリズム板１５）の多面プリズム１５ａの軸方向が、他方のプリズム板１６の多面プリズム１６ａの軸方向に対して斜めに配置されていても良い。
この場合、各プリズム板１５，１６の多面プリズム１５ａ，１６ａによって、各ＬＥＤ１３の像は、それぞれ異なる方向に分岐されることになり、プリズム板１５により分岐されたＬＥＤ１３の像は、プリズム板１６上にて、図６に示すように、長手方向及びそれとは異なる方向に関して多数に分岐され、表面全体にＬＥＤ１３の像が結像されることになる。
従って、図４の場合と比較して、プリズム板１６の表面全体が発光するように観察されることになる。
【００４０】
また、上記ＬＥＤ１３は、その光軸が基板１２の上面に対してほぼ垂直になるように実装されているが、これに限らず、図７にて矢印で示すように、ＬＥＤ１３の光軸が基板１２の上面に対して斜めに配置されていてもよい。
これにより、ＬＥＤ１３の光軸が前方に斜めに傾斜される場合には、ＬＥＤ１３からの光が全体として前方に向かって照射されることにより、プリズム板１６から前方に出射する光の利用効率が向上することになる。また、ＬＥＤ１３の光軸が後方に斜めに傾斜される場合には、ＬＥＤ１３から前方のプリズム板１６までの距離を長くすることができるので、長手方向に関する光度がより一層均一化され得ることになる。
【００４１】
図８は、本発明による照明装置の第二の実施形態の要部の構成を示している。図８において、照明装置２０は、図１に示した照明装置１０と比較して、基板１２の反対側、即ちプリズム板１５，１６の上縁の間に、反射板２１を備えている点で異なる構成になっている。
【００４２】
このような構成の照明装置２０においては、ＬＥＤ１３から上方に出射した光は、反射板２１で反射されて、さらにプリズム板１５またはプリズム板１６に入射した後、ＬＥＤ１３からの直接光と同様にして、プリズム板１５を透過して、前方に向かって照射されることになる。
従って、ＬＥＤ１３からの光の利用効率が向上し、より多量の光がプリズム板１５から前方に向かって照射されるので、より明るい照明が得られることになる。
【００４３】
図９は、本発明による照明装置の第三の実施形態の要部の構成を示している。図９において、照明装置３０は、図８の照明装置２０の変形例であって、基板１２に対向する反射板２１の代わりに、前後方向中心が下方に下がって、断面がＶ字状に形成された反射板３１を備えている点で異なる構成になっている。
このような構成の照明装置３０によれば、ＬＥＤ１３から上方に出射した光は、同様にして反射板３１により反射されるが、この場合、反射板３１が前後に傾斜していることから、反射光がより一層プリズム板１５，１６に向けて良好に入射し、光の利用効率がさらに向上するようになっている。
【００４４】
図１０は、本発明による照明装置の第四の実施形態の要部の構成を示している。
図１０において、照明装置４０は、図１に示した照明装置１０と比較して、互いに平行なプリズム板１５，１６の代わりに、上方に向かって互いに接近して、上端が接触するように配置されたプリズム板４１，４２を備えている点で異なる構成になっている。
このような構成の照明装置４０によれば、ＬＥＤ１３から出射した光は、すべてプリズム板４１または４２に入射して、最終的に前方プリズム板４２に入射して、前方に向かって照射されるので、光の利用効率が向上すると共に、特にプリズム板４１，４２の上方領域において、ＬＥＤ１３から出た光がプリズム板４２を透過するまでの距離が比較的短くなり、光量低下が抑制され、プリズム板４２の全面に亘ってより均一な光度が得られることになる。
【００４５】
図１１は、本発明による照明装置の第五の実施形態の要部の構成を示している。
図１１において、照明装置５０は、図１０に示した照明装置４０と比較して、前方のプリズム板５２が垂直に配置されていると共に、後方のプリズム板５１が、上方に向かって前方に傾斜することにより、プリズム板５１，５２の上端が接触するように配置されている。
このような構成の照明装置５０によれば、図１０に示した照明装置４０と同様に作用すると共に、ＬＥＤ１３から上方に向かって出射した光が、プリズム板５１によって積極的に前方に向かって反射されるようになっている。
【００４６】
図１２は、本発明による照明装置の第六の実施形態の要部の構成を示している。
図１２において、照明装置６０は、図１に示した照明装置１０と比較して、基板１２の反対側、即ちプリズム板１５，１６の上縁の間に、第二の基板６１を備えており、この第二の基板６１の下面に、基板１２と同様にして、等間隔で複数個の第二のＬＥＤ６２が実装されている点で異なる構成になっている。
【００４７】
このような構成の照明装置６０においては、図１に示した照明装置１０と同様に作用すると共に、第二の基板６１上のＬＥＤ６２から下方に出射した光は、後方に向かって出射する光の一部がプリズム板１５に入射して、一部がその表面で反射されると共に、他の一部がプリズム板１５を透過して、反射板１７で反射され、再びプリズム板１５を介して内側に戻って、前方に進み、その一部がプリズム板１６に入射することになる。
また、ＬＥＤ６２から出射した光のうち、前方に向かって出射する光の一部がプリズム板１６に入射する。
このようにして、プリズム板１６に入射した光は、プリズム板１６を透過し、さらにアウターレンズ１４の前壁１４ａを透過して、前方に向かって照射されることになる。
従って、この照明装置６０においては、下方の基板１２上の各ＬＥＤ１３及び上方の第二の基板６１上の各ＬＥＤ６２から出射した光が、それぞれプリズム板１５，１６に入射し、反射板１７により前方に向かって反射されることにより、プリズム板１６から前方に向かって照射されるので、図１に示した照明装置１０と比較して約二倍の光量が前方に向かって照射されることになり、より一層高い光度が得られることになる。
【００４８】
上述した実施形態においては、照明装置１０の前側にはアウターレンズ１４が配置されているが、これに限らず、アウターレンズ１４が省略されてもよいことは明らかである。
また、上述した実施形態においては、後方のプリズム板１５の後側に、別体の反射板１７が配置されているが、これに限らず、後方のプリズム板１５の後面が反射面として構成されていてもよい。このような反射面は、例えばプリズム板１５の後面にアルミニウム等の金属薄膜を蒸着したり、反射材料を塗布する等によって、容易に形成することができる。
【００４９】
【発明の効果】
以上述べたように、本発明によれば、各ＬＥＤを駆動したとき、各ＬＥＤから出射する光は、その一部が一側のプリズム板に向かって進み、一部がプリズム板の表面で反射され、他の一部がプリズム板を透過して反射面で反射された後、再びプリズム板を透過し、反対側のプリズム板に入射する。その際、このプリズム板の多面プリズムにより拡散される。また、ＬＥＤからの光の他の一部は、直接に反対側のプリズム板に入射する。そして、反対側のプリズム板に入射した光は、このプリズム板の多面プリズムにより拡散されて、外側に出射する。
従って、ＬＥＤから出射した光は、各プリズム板に備えられた多面プリズムによってそれぞれ拡散されることになるので、ＬＥＤから各プリズム板までの距離が短くても、十分に拡散されることになり、長手方向に関して均一な光度が得られる。
【００５０】
このようにして、本発明によれば、簡単な構成により、薄型であっても、長手方向に関して均一な光度が得られるようにした、長尺の照明装置が提供され得る。
【図面の簡単な説明】
【図１】本発明による照明装置の第一の実施形態を示す概略断面図である。
【図２】図１の照明装置の構成を示す分解斜視図である。
【図３】図１の照明装置におけるプリズム板の多面プリズムの突条部の詳細を示す部分拡大断面図である。
【図４】図１の照明装置における後方のプリズム板の多面プリズムにより前方のプリズム板に結像されるＬＥＤの像を示す図である。
【図５】図１の照明装置における後方のプリズム板の多面プリズムの変形例を示す概略斜視図である。
【図６】図５のプリズム板を使用した場合の図４と同様のＬＥＤの像を示す図である。
【図７】図１の照明装置における基板上のＬＥＤの実装状態を示す概略断面図である。
【図８】本発明による照明装置の第二の実施形態の要部の構成を示す断面図である。
【図９】本発明による照明装置の第三の実施形態の要部の構成を示す断面図である。
【図１０】本発明による照明装置の第四の実施形態の要部の構成を示す断面図である。
【図１１】本発明による照明装置の第五の実施形態の要部の構成を示す断面図である。
【図１２】本発明による照明装置の第六の実施形態の要部の構成を示す断面図である。
【図１３】従来の照明装置の一例の構成を示す概略断面図である。
【図１４】図１３の照明装置の部分拡大斜視図である。
【図１５】図１３の照明装置の変形例を示す部分拡大斜視図である。
【符号の説明】
１０，２０，３０，４０，５０，６０    照明装置
１１    ベース
１２    基板
１３    ＬＥＤ
１４    アウターレンズ
１４ａ  前壁
１４ｂ  上壁
１５，１６，４１，４２，５１，５２    プリズム板
１５ａ，１６ａ    多面プリズム
１７    反射板（反射面）
１８    突条部
２１，３１    反射板
６１    第二の基板
６２    ＬＥＤ
【図１】
2004205639.tif 000003
【図２】
2004205639.tif 000004
【図３】
2004205639.tif 000005
【図４】
2004205639.tif 000006
【図５】
2004205639.tif 000007
【図６】
2004205639.tif 000008
【図７】
2004205639.tif 000009
【図８】
2004205639.tif 000010
【図９】
2004205639.tif 000011
【図１０】
2004205639.tif 000012
【図１１】
2004205639.tif 000013
【図１２】
2004205639.tif 000014
【図１３】
2004205639.tif 000015
【図１４】
2004205639.tif 000016
【図１５】
2004205639.tif 000017